(57)【要約】【課題】ヘッド部の打撃面を含む部位を取替自在であって、その着脱が容易であるハンマーを提供する。【解決手段】ヘッド部と、ビットを備え、該ビットは、打撃部と、固定部を有しており、前記ヘッド部はヘッド側作用部を有しており、前記固定部はビット側作用部を有していて、前記ヘッド側作用部と前記ビット側作用部は磁力により相互に吸引又は反発するものであり、前記ビット側作用部と前記ヘッド側作用部の間に作用する磁力により、前記ビットを前記ヘッド部に対して固定してあるものであって、前記ビットが取替自在である。【選択図】図１
2019089163.tif 000002
【特許請求の範囲】
【請求項１】
ヘッド部と、ビットを備え、
該ビットは、打撃部と、固定部を有しており、
前記ヘッド部はヘッド側作用部を有しており、前記固定部はビット側作用部を有していて、前記ヘッド側作用部と前記ビット側作用部は磁力により相互に吸引又は反発するものであり、
前記ビット側作用部と前記ヘッド側作用部の間に作用する磁力により、前記ビットを前記ヘッド部に対して固定してあるものであって、前記ビットが取替自在であることを特徴とするハンマー。
【請求項２】
前記ヘッド側作用部と前記ビット側作用部の間に、空隙を設けてあることを特徴とする請求項１記載のハンマー。
【請求項３】
前記ヘッド側作用部と前記ビット側作用部は磁力により相互に吸引するものであり、
前記ヘッド側作用部と前記ビット側作用部が、打撃方向に平行な面で相互に当接していることを特徴とする請求項１記載のハンマー。
【請求項４】
前記ヘッド部と前記ビットに、前記ヘッド部に対して前記ビットを打撃方向軸周りに角度決めする角度決め機構を設けてあることを特徴とする請求項１、２又は３記載のハンマー。
【請求項５】
前記ビットは、前記打撃部と前記固定部が別部材からなり、
前記打撃部は被係合部を有しており、前記固定部は係合部を有していて、
該係合部が前記被係合部に係合して前記打撃部と前記固定部が一体になっていることを特徴とする請求項１、２、３又は４記載のハンマー。
【請求項６】
前記被係合部は、前記打撃部に形成した穴からなり、
前記ヘッド部は、前記被係合部に連通する挿入穴を有しており、
前記係合部は、連通した前記被係合部及び挿入穴に、打撃方向に直交する方向から挿入してあることを特徴とする請求項５記載のハンマー。
【発明の詳細な説明】
【技術分野】
【０００１】
本発明は、金属板を打ち延ばして成形する鎚起に用いられるハンマーに関する。
【背景技術】
【０００２】
鎚起は、伝統的な金工技法の一種であり、薄い金属板をハンマー（鎚）で打ち延ばして立体的に成形するものである。この際、ハンマーで打つことにより金属の表面に形成される模様を鎚目模様といい、鎚起製品の特徴となっている。鎚目模様は、ハンマーの打撃面の大きさや形状によって異なったものとなるので、従来、打撃面の大きさや形状が異なる複数のハンマーを用意し、これらを適宜持ち替えながら加工を行っていた。しかしながら、模様のバリエーションを増やすとその分だけハンマーの数が増えるので、費用が高くなる点や、広い収納場所が必要となる点が問題であった。
【０００３】
一方で、従来、特許文献１、２に示すように、種々のハンマーにおいて、打撃面となるヘッド部の先端部を取替自在にしたものがある。このような構成のものによれば、先端部のみを複数用意し、本体部は１つだけ用意すればよいから、費用が抑えられ、広い収納場所も必要ない。
【先行技術文献】
【特許文献】
【０００４】
【特許文献１】実開昭４８−５４７７０号公報
【特許文献２】実開昭５７−１３１７９号公報
【発明の概要】
【発明が解決しようとする課題】
【０００５】
しかしながら、特許文献１のハンマーは、先端部に直接雄ネジ部が形成されていてヘッド部に螺合するものであり、特許文献２のハンマーは、ヘッド部にボルトを螺合して先端部を押圧するものであり、何れもネジ回し作業が必要で、先端部の着脱に手間がかかるものであった。
【０００６】
本発明は、このような事情を鑑みたものであり、ヘッド部の打撃面を含む部位を取替自在であって、その着脱が容易であるハンマーを提供することを目的とする。
【課題を解決するための手段】
【０００７】
本発明のうち請求項１の発明は、ヘッド部と、ビットを備え、該ビットは、打撃部と、固定部を有しており、前記ヘッド部はヘッド側作用部を有しており、前記固定部はビット側作用部を有していて、前記ヘッド側作用部と前記ビット側作用部は磁力により相互に吸引又は反発するものであり、前記ビット側作用部と前記ヘッド側作用部の間に作用する磁力により、前記ビットを前記ヘッド部に対して固定してあるものであって、前記ビットが取替自在であることを特徴とする。
【０００８】
本発明のうち請求項２の発明は、前記ヘッド側作用部と前記ビット側作用部の間に、空隙を設けてあることを特徴とする。
【０００９】
本発明のうち請求項３の発明は、前記ヘッド側作用部と前記ビット側作用部は磁力により相互に吸引するものであり、前記ヘッド側作用部と前記ビット側作用部が、打撃方向に平行な面で相互に当接していることを特徴とする。
【００１０】
本発明のうち請求項４の発明は、前記ヘッド部と前記ビットに、前記ヘッド部に対して前記ビットを打撃方向軸周りに角度決めする角度決め機構を設けてあることを特徴とする。
【００１１】
本発明のうち請求項５の発明は、前記ビットは、前記打撃部と前記固定部が別部材からなり、前記打撃部は被係合部を有しており、前記固定部は係合部を有していて、該係合部が前記被係合部に係合して前記打撃部と前記固定部が一体になっていることを特徴とする。
【００１２】
本発明のうち請求項６の発明は、前記被係合部は、前記打撃部に形成した穴からなり、前記ヘッド部は、前記被係合部に連通する挿入穴を有しており、前記係合部は、連通した前記被係合部及び挿入穴に、打撃方向に直交する方向から挿入してあることを特徴とする。
【発明の効果】
【００１３】
本発明のうち請求項１の発明によれば、打撃部を有するビットがヘッド部に対して磁力で固定されるものなので、取り付ける際には、ビットをヘッド部の所定箇所へ設置するだけでよく、取り外す際には、磁力を上回る力でビットをヘッド部から引き離すだけでよいので、着脱が容易である。
【００１４】
本発明のうち請求項２の発明によれば、ヘッド側作用部とビット側作用部の間に空隙を設けてあるので、打撃のエネルギによりビットの温度が上昇しても、その熱がヘッド側作用部に伝わらず、ヘッド側作用部が保護される。
【００１５】
本発明のうち請求項３の発明によれば、打撃時の衝撃により、ヘッド部に対してビットが打撃方向に多少ずれたとしても、ずれがヘッド側作用部とビット側作用部の大きさよりも小さい範囲であれば、ヘッド側作用部とビット側作用部の少なくとも一部分同士が当接して吸着した状態が維持されるので、ヘッド部からビットが外れることがない。
【００１６】
本発明のうち請求項４の発明によれば、ヘッド部とビットに角度決め機構を設けてあるので、打撃部の形状に上下左右の向きがある場合であっても、容易かつ確実にビットを取り付けることができる。
【００１７】
本発明のうち請求項５の発明によれば、取り替えるのはビットの打撃部のみで、ビット側作用部を有する固定部は１つだけ用意すればよいから、より費用を抑えられる。
【００１８】
本発明のうち請求項６の発明によれば、固定部は、係合部がヘッド部の挿入穴に打撃方向に直交する方向から挿入されるので、ヘッド部に対して打撃方向に固定される。また、打撃部は、被係合部に打撃方向に直交する方向から固定部の係合部が挿入されるので、固定部及びヘッド部に対して打撃方向に固定される。よって、打撃時に衝撃を受けても、ビットがヘッド部に対して動くことがない。
【図面の簡単な説明】
【００１９】
【図１】ハンマーの第一実施形態の正面図（一部断面図）である。
【図２】第一実施形態の全体正面図である。
【図３】第一実施形態の側面図である。
【図４】図１のＡ−Ａ線断面図である。
【図５】（ａ）はハンマーの第二実施形態の正面図（一部断面図）、（ｂ）はハンマーの第三実施形態の正面図（一部断面図）である。
【図６】ハンマーの第四実施形態の正面図（一部断面図）である。
【図７】第四実施形態の全体正面図である。
【図８】第四実施形態の側面図である。
【図９】（ａ）は第四実施形態の分解正面図、（ｂ）は第四実施形態の分解下面図である。
【発明を実施するための形態】
【００２０】
以下、本発明のハンマーの具体的な内容について説明する。なお、以下の第一実施形態の説明において、上下左右とは、図１に示すようにハンマーを正面視した状態における上下左右方向を示す。このハンマーの第一実施形態は、工芸製品を製造するための鎚起用のハンマーであって、特に錫製の板を対象とするものである。図１〜図３に示すように、ハンマーの第一実施形態は、ヘッド部１と、ビット２と、把持部１０を備える。ヘッド部１は、鋼鉄製で略円柱形状であって、中心軸が左右方向を向いており、中心軸の中点を通り上下に延びる孔を開けてある。この孔に丸棒形状の把持部１０を下側から差し込んで固定してあり（差し込まれる部分は丸棒形状でなくてもよい）、全体で略Ｔ字形となっている。ヘッド部１の右端面で対象を打撃するので、打撃方向は左右方向となる。そして、ヘッド部１の右端面に、ビット２を取り付けてある。
【００２１】
より詳しくは、ヘッド部１の右端面に、取付穴１１を形成してある。取付穴１１は、図１及び図４に示すように、断面略円形で、内周面の上側部分に、下側に向けて開口する凹溝１２を形成してある。また、取付穴１１の底面の中央部に、取付穴１１より小径の断面円形の穴を形成してあって、この穴に、略円柱形状の磁石からなるヘッド側作用部５を埋め込んで固定してある。
【００２２】
ビット２は、銅合金製（ＢＣ３、銅を主成分として亜鉛や錫を含む合金）で、右側部分の打撃部３と、左側部分の固定部４が、一体に成形されている。図１〜図３に示すように、打撃部３は、略円盤形状であって、その直径は取付穴１１の直径よりも大きく、周縁部が鍔部３１となっている。また、打撃部３は、その右側面に形成した、右側視して三角形の突起部３２を有する。この突起部３２の形状は一例を示すものであり、対象に付す模様に応じて適宜変更できる。一方、図１及び図４に示すように、固定部４は、略円柱形状であって、その直径は取付穴１１に丁度嵌まる大きさであり、外周面の上側部分に、左右に延びる断面矩形の突条４１を形成してある。突条４１は、取付穴１１に形成された凹溝１２に丁度嵌まる形状である。また、固定部４の左右方向長さは、取付穴１１の深さ（左右方向長さ）よりも短く、固定部４の左端面に、断面円形の穴を形成してあって、この穴に、略円柱形状の鋼鉄からなるビット側作用部６を埋め込んで固定してある。
【００２３】
そして、ビット２の固定部４を、右側からヘッド部１の取付穴１１に挿入してある。固定部４は取付穴１１に丁度嵌まり、さらに固定部４の突条４１が取付穴１１の凹溝１２に丁度嵌まるので、ビット２は左右方向（打撃方向）軸周りに角度決めされる。すなわち、突条４１と凹溝１２が、角度決め機構として機能する。ビット２の固定部４を、鍔部３１が取付穴１１の周縁部に当接するまで挿入すると、固定部４の左右方向長さが取付穴１１の深さよりも短いので、取付穴１１の底面と固定部４の左端面の間に空隙７が形成される。すなわち、取付穴１１の底面に設けたヘッド側作用部５と、固定部４の左端面に設けたビット側作用部６の間にも空隙７が形成される。この状態で、ヘッド側作用部５とビット側作用部６は、空隙７を隔てて左右に対向しており、ヘッド側作用部５は磁石からなり、ビット側作用部６は鋼鉄からなるので、両者は磁力により相互に吸引する。よって、ビット２は、ヘッド部１に対して磁力により固定される。
【００２４】
このようにしてヘッド部１にビット２を固定したハンマーにより、対象である錫製の板を打撃して打ち延ばし、立体的に成形する。この際、打撃部３の突起部３２により、対象の表面に模様が形成される。
【００２５】
また、ビット２を取り外す際には、ヘッド側作用部５とビット側作用部６の間の磁力を上回る力で、ビット２の固定部４をヘッド部１の取付穴１１から引き抜けばよい。そして、突起部３２の形状のみが異なる複数のビット２を用意してあり、対象に付す模様に応じてビット２が取替自在となっている。
【００２６】
このように構成したハンマーの第一実施形態によれば、打撃部３を有するビット２がヘッド部１に対して磁力で固定されるものなので、取り付ける際には、ビット２の固定部４をヘッド部１の取付穴１１へ挿入するだけでよく、取り外す際には、磁力を上回る力でビット２をヘッド部１から引き離すだけでよいので、着脱が容易である。また、打撃すると、そのエネルギにより熱が生じ、特に第一実施形態においてはビット２が熱伝導率の高い銅合金からなるので、熱が打撃部３から固定部４へと伝わりやすい。そして、ヘッド側作用部５は磁石からなり、温度が上昇すると磁力が低下するおそれがあるが、ここではヘッド側作用部５とビット側作用部６の間に空隙７を設けてあるので、ビット２の熱がヘッド側作用部５に伝わらず、ヘッド側作用部５が保護される。さらに、ヘッド部１の取付穴１１の凹溝１２とビット２の固定部４の突条４１からなる角度決め機構を設けてあるので、打撃部３の突起部３２の形状に上下左右の向きがある場合であっても、容易かつ確実にビット２を取り付けることができる。また、ビット２が銅合金からなるもので、これは鋼鉄よりも柔らかい素材であるが、この第一実施形態は、銅合金よりも柔らかい錫製の板を対象としているので、問題なく加工できる。そして、ビット２（打撃部３）を銅合金製とすることで、鋼鉄よりも欠けにくく、また鋼鉄と異なり打撃時に火花が生じないので安全に作業できる。
【００２７】
次に、本発明のハンマーの第二実施形態及び第三実施形態について説明する。第二実施形態及び第三実施形態は、何れも第一実施形態と比較して、ヘッド部１に取り付けたヘッド側作用部５とビット２に取り付けたビット側作用部６の構成、ヘッド部１が銅合金からなる点及び角度決め機構がない点が異なっている。以下、第一実施形態と異なる部分についてのみ説明する。
【００２８】
第二実施形態は、図５（ａ）に示すように、ヘッド部１の断面円形の取付穴１１の内周面の左右方向中間部に、ヘッド側作用部５を埋め込んで取り付けてある。ヘッド側作用部５は、環状の磁石からなり、取付穴１１の内周側に露出する面がＮ極となっている（図面では露出する面の極性のみ表示してあり、以下同じである）。一方、ビット２の固定部４の外周面の右側寄りの位置（ヘッド部１にビット２を取り付けた状態で、ヘッド側作用部５よりも右側の位置）に、ビット側作用部６を埋め込んで取り付けてある。ビット側作用部６は、環状の磁石からなり、円柱形状の固定部４の外周側に露出する面がＳ極となっている。そして、ビット２の固定部４を、右側からヘッド部１の取付穴１１に挿入してある。ヘッド側作用部５とビット側作用部６は、露出する面の極性が異なるので、相互に吸引するものであり、この状態で、ビット側作用部６は、より左側（取付穴１１の奥側）に位置するヘッド側作用部５に吸引される（ヘッド部１が磁石に吸着しない銅合金からなるので、ビット側作用部６が取付穴１１の内周面に吸着することはない）。すなわち、ビット２に対して左側向き（取付穴１１の奥側向き）の磁力が作用するので、ビット２がヘッド部１に対して磁力で固定される。このように構成した第二実施形態においても、第一実施形態と同様、ビット２の着脱が容易である。
【００２９】
第三実施形態は、図５（ｂ）に示すように、ヘッド部１の断面円形の取付穴１１の内周面の左右方向中間部に、ヘッド側作用部５を埋め込んで取り付けてある。ヘッド側作用部５は、環状の磁石からなり、取付穴１１の内周側に露出する面がＮ極となっている。一方、ビット２の固定部４の外周面の左側寄りの位置（ヘッド部１にビット２を取り付けた状態で、ヘッド側作用部５よりも左側の位置）に、ビット側作用部６を埋め込んで取り付けてある。ビット側作用部６は、環状の磁石からなり、円柱形状の固定部４の外周側に露出する面がＮ極となっている。そして、ビット２の固定部４を、右側からヘッド部１の取付穴１１に挿入してある。ヘッド側作用部５とビット側作用部６は、露出する面の極性が同じなので、相互に反発するものであり、この状態で、ビット側作用部６は、より右側（取付穴１１の開口側）に位置するヘッド側作用部５に反発する（ヘッド部１が磁石に吸着しない銅合金からなるので、ビット側作用部６が取付穴１１の内周面に吸着することはない）。すなわち、ビット２に対して左側向き（取付穴１１の奥側向き）の磁力が作用するので、ビット２がヘッド部１に対して磁力で固定される。このように構成した第三実施形態においても、第一実施形態と同様、ビット２の着脱が容易である。
【００３０】
なお、第二実施形態及び第三実施形態において、ヘッド側作用部５とビット側作用部６は、複数個の磁石を極性の向きを揃えて環状に並べたものであってもよい。また、第二実施形態においては、ヘッド側作用部５とビット側作用部６の露出する面の極性が異なっていればよく、第三実施形態においては、ヘッド側作用部５とビット側作用部６の露出する面の極性が同じであればよく、Ｎ極とＳ極の何れかに限定されるものではない。
【００３１】
次に、本発明のハンマーの第四実施形態について説明する。なお、以下の第四実施形態の説明において、上下左右とは、図６に示すようにハンマーを正面視した状態における上下左右方向を示し、前後とは、図６における手前側及び奥側を示す。このハンマーの第四実施形態は、第一実施形態と同様に、工芸製品を製造するための鎚起用のハンマーであって、特に錫製の板を対象とするものである。図６〜図８に示すように、ハンマーの第四実施形態は、ヘッド部１と、ビット２と、把持部１０を備える。ヘッド部１は、鋼鉄製で正面視して略五角形、上面視及び側面視して略矩形であって、水平向きの上面１ａと、垂直向きの左端面１ｂ及び右端面１ｃと、中央側からそれぞれ左右へ向けて上向きに傾斜する左下面１ｄ及び右下面１ｅを備える。右端面１ｃは左端面１ｂより上下に長く、左下面１ｄは右下面１ｅより左右に長くなっている。そして、左下面１ｄを通り上下に延びる孔を開けてある。この孔に丸棒形状の把持部１０を下側から差し込んで固定してあり（差し込まれる部分は丸棒形状でなくてもよい）、全体で略Ｔ字形となっている。ヘッド部１の右端面１ｃで対象を打撃するので、打撃方向は左右方向となる。そして、ヘッド部１の右端面１ｃ及び右下面１ｅに、ビット２を取り付けてある。
【００３２】
より詳しくは、ヘッド部１の右端面１ｃに、凹部１３を形成してある。凹部１３は、図６及び図９に示すように、断面略円形で、直径よりも深さが短い窪みとなっている。また、凹部１３の底面の中心よりやや下側の位置に、断面矩形で凹部１３よりも深い差込穴１４を形成してある。また、ヘッド部１の右下面１ｅの左右端部を除く略全域にわたって、一定厚さで削り取るように切り欠いてあり、さらにそこから連続してヘッド部１の前側面及び後側面も略三角形状に一定厚さで削り取るように切り欠いてあり、それらを合わせて切欠部１５としてある。そして、切欠部１５の下面の右側部には、垂直上向きに向けて延びる断面円形の挿入穴１６を形成してある。挿入穴１６は、差込穴１４と連通していて、差込穴１４よりさらに上側まで延びている。また、切欠部１５の下面の中央部から左側部にかけては、上向きに向けて延びる断面矩形の固定穴１７を形成してあり、固定穴１７の底面に、矩形平板状の磁石からなるヘッド側作用部５を固定してある。
【００３３】
ビット２は、銅合金製（ＢＣ３、銅を主成分として亜鉛や錫を含む合金）で、打撃部３と固定部４の２部材からなる。図６〜図９に示すように、打撃部３は、本体部３３と、突起部３２と、差込片３４を有する。本体部３３は、略円盤形状であって、その直径は凹部１３に丁度嵌まる大きさである。また、本体部３３の右側面に、右側視して三角形の突起部３２を形成してある。この突起部３２の形状は一例を示すものであり、対象に付す模様に応じて適宜変更できる。さらに、本体部３３の左側面の下部に、舌片状で左側に向けて延びる差込片３４を形成してある。差込片３４は、本体部３３を凹部１３に嵌め込んだ状態で、差込穴１４に差し込まれるものであって、差込穴１４に丁度嵌まる大きさであり、先端部には上下方向に貫通する丸孔からなる被係合部３５を形成してある。被係合部３５は、差込片３４を差込穴１４に差し込んだ状態で、ヘッド部１の挿入穴１６と連通するもので、挿入穴１６と同径である。一方、固定部４は、本体部４２と、係合部４３と、台座部４４を有する。本体部４２は、略矩形平板状であって、前後辺から上側に向けて屈曲しており、ヘッド部１の切欠部１５に下側から丁度嵌まる形状である。切欠部１５に嵌まった状態で、本体部４２は、切欠部１５の下面の全部と前後面の下側一部を覆い、本体部４２の下面はヘッド部１の右下面１ｅと面一になり、本体部４２の前後面はヘッド部１の前後面と面一になる。そして、本体部４２の上面の右側部には、垂直上向きに向けて突出する略円柱形状の係合部４３を形成してある。係合部４３は、ヘッド部１の挿入穴１６及びこれに連通する被係合部３５に丁度嵌まる大きさである。また、本体部４２の上面の中央部から左側部にかけては、上向きに突出する断面矩形の台座部４４を形成してある。台座部４４は、ヘッド部１の固定穴１７に丁度嵌まる大きさであり、台座部４４の上面に、矩形平板状の鋼鉄からなるビット側作用部６を固定してある。
【００３４】
そして、打撃部３の本体部３３をヘッド部１の凹部１３に右側から嵌め込むとともに、差込片３４を差込穴１４に差し込んである。この状態で、本体部３３の右側面がヘッド部１の右端面１ｃと面一であり、突起部３２が右端面１ｃよりも右側に突出している。またこの際、差込片３４の位置が本体部３３の中心からずれているので、打撃部３の左右方向（打撃方向）軸周りの取付角度は一意に定まる。すなわち、本体部３３、差込片３４、凹部１３及び差込穴１４が、角度決め機構として機能する。本体部３３が凹部１３の底面に当接した状態で、差込片３４に形成した被係合部３５が、ヘッド部１の挿入穴１６に連通する。そして、固定部４の本体部４２を、ヘッド部１の切欠部１５に下側から嵌め込むとともに、係合部４３を挿入穴１６及び被係合部３５に下側（打撃方向に直交する方向）から挿入し、さらに台座部４４を固定穴１７に挿入してある。これにより、係合部４３が被係合部３５に係合して、打撃部３と固定部４が一体になっている。また、本体部４２の上面が切欠部１５の下面に当接した状態で、固定穴１７の底部に設けたヘッド側作用部５に、台座部４４の上面に設けたビット側作用部６が下側から当接する。すなわち、ヘッド側作用部５とビット側作用部６が、打撃方向に平行な面で相互に当接している。ヘッド側作用部５は磁石からなり、ビット側作用部６は鋼鉄からなるので、両者は磁力により相互に吸引する。よって、固定部４はヘッド部１に対して固定され、打撃部３は固定部４に対して固定されるので、すなわち、ビット２は、ヘッド部１に対して磁力により固定される。なお、実際にビット２をヘッド部１に取り付ける手順としては、まず、打撃部３をヘッド部１に取り付けた後、固定部４をヘッド部１に取り付ければよい。
【００３５】
このようにしてヘッド部１にビット２を固定したハンマーにより、対象である錫製の板を打撃して打ち延ばし、立体的に成形する。この際、打撃部３の突起部３２により、対象の表面に模様が形成される。
【００３６】
また、ビット２を取り外す際には、ヘッド側作用部５とビット側作用部６の間の磁力を上回る力で、固定部４の台座部４４をヘッド部１の固定穴１７から引き抜くとともに、係合部４３を被係合部３５から引き抜き、さらに打撃部３をヘッド部１の凹部１３から引き抜くとともに、差込片３４を差込穴１４から引き抜けばよい。そして、突起部３２の形状のみが異なる複数の打撃部３を用意してあり、対象に付す模様に応じてビット２の打撃部３が取替自在となっている。
【００３７】
このように構成したハンマーの第四実施形態によれば、打撃部３を有するビット２がヘッド部１に対して磁力で固定されるものなので、取り付ける際には、打撃部３をヘッド部１の右端面１ｃに設置した後、固定部４をヘッド部１の切欠部１５に設置するだけでよく、取り外す際には、磁力を上回る力で固定部４をヘッド部１から引き離した後、打撃部３をヘッド部１から引き抜くだけでよいので、着脱が容易である。また、第四実施形態においては、固定部４の係合部４３と台座部４４がそれぞれヘッド部１の挿入穴１６と固定穴１７に挿入されているので、固定部４の打撃方向の移動が規制されているが、そのような構成がない場合において、打撃時の衝撃により、ヘッド部１に対してビット２が打撃方向に多少ずれたとしても、ずれがヘッド側作用部５とビット側作用部６の大きさよりも小さい範囲であれば、ヘッド側作用部５とビット側作用部６の少なくとも一部分同士が当接して吸着した状態が維持されるので、ヘッド部１からビット２が外れることがない。さらに、ヘッド部１の凹部１３及び差込穴１４とビット２の打撃部３の本体部３３及び差込片３４からなる角度決め機構を設けてあるので、打撃部３の突起部３２の形状に上下左右の向きがある場合であっても、容易かつ確実にビット２を取り付けることができる。また、取り替えるのはビット２の打撃部３のみで、ビット側作用部６を有する固定部４は１つだけ用意すればよいから、より費用を抑えられる。さらに、固定部４は、係合部４３がヘッド部１の挿入穴１６に打撃方向に直交する方向から挿入されるので、ヘッド部１に対して打撃方向に固定される。また、打撃部３は、被係合部３５に打撃方向に直交する方向から固定部４の係合部４３が挿入されるので、固定部４及びヘッド部１に対して打撃方向に固定される。よって、打撃時に衝撃を受けても、ビット２がヘッド部１に対して動くことがない。また、ビット２が銅合金からなるもので、これは鋼鉄よりも柔らかい素材であるが、この第四実施形態は、銅合金よりも柔らかい錫製の板を対象としているので、問題なく加工できる。そして、ビット２（打撃部３）を銅合金製とすることで、鋼鉄よりも欠けにくく、また鋼鉄と異なり打撃時に火花が生じないので安全に作業できる。
【００３８】
本発明は、前記の実施形態に限定されない。たとえば、ヘッド部とビットに設けられる角度決め機構は、ビットの断面多角形の部位を、ヘッド部の同断面形状の穴に挿入するものであってもよい。この際、ビットの打撃方向軸周りの角度は、一意に定まるものではなく、複数の角度から選択可能なものであってもよい。また、ヘッド部とビットの一方に形成した凸形部位が他方に形成した凹形部位に嵌まるラッチ機構を有していてもよい。この際、凸形部位が、凹形部位に対して突没自在でかつ凹形部位に向けて付勢されていてもよい。さらに、ヘッド部の左右両方の端面に、それぞれビットを取り付けてもよい。
【符号の説明】
【００３９】
１  ヘッド部
２  ビット
３  打撃部
４  固定部
５  ヘッド側作用部
６  ビット側作用部
７  空隙
１２  凹溝（第一実施形態の角度決め機構）
１３  凹部（第四実施形態の角度決め機構）
１４  差込穴（第四実施形態の角度決め機構）
１６  挿入穴
３３  本体部（第四実施形態の角度決め機構）
３４  差込片（第四実施形態の角度決め機構）
３５  被係合部
４１  突条（第一実施形態の角度決め機構）
４３  係合部
【図１】
2019089163.tif 000003
【図２】
2019089163.tif 000004
【図３】
2019089163.tif 000005
【図４】
2019089163.tif 000006
【図５】
2019089163.tif 000007
【図６】
2019089163.tif 000008
【図７】
2019089163.tif 000009
【図８】
2019089163.tif 000010
【図９】
2019089163.tif 000011